(57)【要約】【課題】回転半径が小さいコーナーでもスムーズに通過することができる患者搬送装置を提供する。【解決手段】患者搬送装置は、ベース１及びプーリーユニット２を備える。ベース１には、伝動ギヤセット１６を回転させる伝動動力源１５が配置され、ベース１の両側上端には、枢着孔１７及び長穴１８がそれぞれ設けられる。プーリーユニット２は、第１の連動ロッド２１及び第２の連動ロッド２２を上端に有する。第１の連動ロッド２１の一方の端部と第２の連動ロッド２２の一方の端部とが枢着される。第１の連動ロッド２１の他方の端部は、ベース１の枢着孔１７に枢着される。第２の連動ロッド２２の他方の端部は、長穴１８に枢着される。第１の連動ロッド２１と第２の連動ロッド２２とが枢着された箇所には、駆動ホイール２３が配置される。駆動ホイール２３は、歯部２３１によりベース１上の伝動ギヤセット１６と噛合される。【選択図】図１
0003166790.tif 000002
【実用新案登録請求の範囲】
【請求項１】
ベース及びプーリーユニットを備える患者搬送装置であって、
前記ベースには、伝動ギヤセットを回転させる伝動動力源が配置され、前記ベースの両側上端には、枢着孔及び長穴がそれぞれ設けられ、
前記プーリーユニットは、第１の連動ロッド及び第２の連動ロッドを上端に有し、前記第１の連動ロッドの一方の端部と前記第２の連動ロッドの一方の端部とが枢着され、前記第１の連動ロッドの他方の端部は、前記ベースの前記枢着孔に枢着され、前記第２の連動ロッドの他方の端部は、前記長穴に枢着され、前記第１の連動ロッドと前記第２の連動ロッドとが枢着された箇所には、駆動ホイールが配置され、前記駆動ホイールは、歯部により前記ベース上の前記伝動ギヤセットと噛合され、前記駆動ホイールの前端には、前記第１の連動ロッドの上方に位置する短手枢着軸が配置され、前記駆動ホイールの後端には、前記第２の連動ロッドの上方に位置する短手枢着軸が配置され、前記短手枢着軸の外端には、補助動力ホイールがそれぞれ接続されていることを特徴とする患者搬送装置。
【請求項２】
前記ベースは、動作に必要な電気エネルギを供給する電源部を有し、
前記ベースの底端には、巻上機により患者を吊り上げたり下ろしたりする吊り帯が配置され、
前記吊り帯には、緊急事態が発生したときに前記巻上機を停止させる安全スイッチが接続されていることを特徴とする請求項１に記載の患者搬送装置。
【請求項３】
前記プーリーユニットには、前記ベースの前記電源部と電気的に接続され、軌道内の充電装置と接触し、電源を供給する前記電源部を充電する充電接続片が配置されていることを特徴とする請求項２に記載の患者搬送装置。
【考案の詳細な説明】
【技術分野】
【０００１】
本考案は、患者搬送装置に関し、特に、回転半径が小さいコーナーでもスムーズに通過することができる患者搬送装置に関する。
【背景技術】
【０００２】
一般に屋内の医療現場では、重症患者や移動が困難な患者などを室内の所望の場所へ搬送するのに都合が良いように、室内の天井板に軌道が敷設されている。医療従事者は搬送システムを制御し、軌道により搬送システムを移動させ、患者を所定位置まで移動させる。
【０００３】
しかし、従来の軌道に取り付けた搬送システムにより重症患者を搬送する方式は、以下つぎのような問題点がある。
【０００４】
（１）従来の軌道は、搬送システムが移動する際、搬送システムが一体式に設計され、伝動ローラが直線状に配列されているため、搬送システムをスムーズに通過させるために、コーナーの回転半径を大きくする必要がある。
（２）軌道は、一般に一定の距離で形成されているため、高さが不均一な箇所を有することがある。搬送システムは、高さが不均一な箇所を伝動ローラが通過する際、引っ掛かったり、空転したりして容易に通過することができなくなる虞がある上、搬送システムの下方に患者を載せると、搬送システムが受ける力が異なり、外端の伝動ローラがはね上がって軌道から離れ、搬送システムの移動が困難となる虞がある。
【考案の概要】
【考案が解決しようとする課題】
【０００５】
本考案の目的は、回転半径が小さいコーナーでもスムーズに搬送装置を通過することができる患者搬送装置を提供することにある。
【課題を解決するための手段】
【０００６】
上記課題を解決するために、本考案の第１の形態によれば、ベース及びプーリーユニットを備える患者搬送装置であって、前記ベースには、伝動ギヤセットを回転させる伝動動力源が配置され、前記ベースの両側上端には、枢着孔及び長穴がそれぞれ設けられ、前記プーリーユニットは、第１の連動ロッド及び第２の連動ロッドを上端に有し、前記第１の連動ロッドの一方の端部と前記第２の連動ロッドの一方の端部とが枢着され、前記第１の連動ロッドの他方の端部は、前記ベースの前記枢着孔に枢着され、前記第２の連動ロッドの他方の端部は、前記長穴に枢着され、前記第１の連動ロッドと前記第２の連動ロッドとが枢着された箇所には、駆動ホイールが配置され、前記駆動ホイールは、歯部により前記ベース上の前記伝動ギヤセットと噛合され、前記駆動ホイールの前端には、前記第１の連動ロッドの上方に位置する短手枢着軸が配置され、前記駆動ホイールの後端には、前記第２の連動ロッドの上方に位置する短手枢着軸が配置され、前記短手枢着軸の外端には、補助動力ホイールがそれぞれ接続されていることを特徴とする患者搬送装置が提供される。
【０００７】
また、前記ベースは、動作に必要な電気エネルギを供給する電源部を有し、前記ベースの底端には、巻上機により患者を吊り上げたり下ろしたりする吊り帯が配置され、前記吊り帯には、緊急事態が発生したときに前記巻上機を停止させる安全スイッチが接続されていることが好ましい。
【０００８】
また、前記プーリーユニットには、前記ベースの前記電源部と電気的に接続され、軌道内の充電装置と接触し、電源を供給する前記電源部を充電する充電接続片が配置されていることが好ましい。
【考案の効果】
【０００９】
本考案の患者搬送装置は、回転半径が小さくとも搬送装置をスムーズに通過させることができる。
【図面の簡単な説明】
【００１０】
【図１】本考案の一実施形態による患者搬送装置を示す斜視図である。
【図２】本考案の一実施形態による患者搬送装置を示す正面図である。
【図３】本考案の一実施形態による患者搬送装置を使用するときの状態を示す模式図である。
【図４】本考案の一実施形態による患者搬送装置を使用するときの状態を示す部分拡大図である。
【図５】本考案の一実施形態による患者搬送装置を示す部分拡大図である。
【図６】本考案の一実施形態による患者搬送装置を示す部分拡大図である。
【考案を実施するための形態】
【００１１】
図１及び図２を参照する。図１及び図２に示すように、本考案の一実施形態による患者搬送装置は、ベース１及びプーリーユニット２を有する。
【００１２】
ベース１は、動作に必要な電気エネルギを供給する電源部１１を有する。ベース１の底端には、巻上機１３により患者を吊り上げたり下ろしたりするために用いる吊り帯１２が配置されている。吊り帯１２には、緊急事態が発生したときに巻上機１３を停止させるために用いる安全スイッチ１４が接続されている。ベース１には、伝動ギヤセット１６を回転させる伝動動力源１５が配置されている。ベース１の両側上端には、枢着孔１７及び長穴１８がそれぞれ設けられている。
【００１３】
プーリーユニット２は、第１の連動ロッド２１及び第２の連動ロッド２２を上端に有する。第１の連動ロッド２１の一方の端部と第２の連動ロッド２２の一方の端部とは、互いに枢着され、第１の連動ロッド２１の他方の端部は、ベース１の枢着孔１７に枢着され、第２の連動ロッド２２の他方の端部は、長穴１８に枢着されている。第１の連動ロッド２１と第２の連動ロッド２２とが枢着された箇所には、駆動ホイール２３が配置されている。駆動ホイール２３は、歯部２３１によりベース１上の伝動ギヤセット１６と噛合され、駆動ホイール２３の前端には、第１の連動ロッド２１の上方に位置する短手枢着軸２４が配置され、駆動ホイール２３の後端には、第２の連動ロッドの上方に位置する短手枢着軸２５が配置され、短手枢着軸２４及び短手枢着軸２５の外端には、補助動力ホイール２６，２７が接続されている。プーリーユニット２上には、充電接続片２８が配置されている。充電接続片２８は、ベース１の電源部１１と電気的に接続され、軌道３内の充電装置と接触され、電源供給を得て電源部１１を充電する。
【００１４】
図３を参照する。図３に示すように、本考案の一実施形態による患者搬送装置を実際に使用する際、搬送装置のプーリーユニット２を室内の天井板に敷設された軌道３に対応するように取り付け、軌道３内にプーリーユニット２の駆動ホイール２３及び補助動力ホイール２６，２７を配置させる。ベース１に吊り下げられた吊り帯１２を用いて患者を搬送するとき、ベース１が下向きの力を受ける。ベース１には、枢着孔１７及び長穴１８により、プーリーユニット２の第１の連動ロッド２１及び第２の連動ロッド２２が枢着され、長穴１８中の調整位置に第２の連動ロッド２２が位置し（図４を併せて参照する）、短手枢着軸２５を介して第２の連動ロッド２２に接続された補助動力ホイール２７が上下に変位し、駆動ホイール２３及び２つの補助動力ホイール２６，２７を軌道３に常に接触させ、駆動ホイール２３が空転してベース１が移動できなくなることを防ぎ（図５を併せて参照する）、プーリーユニット２によりベース１を移動させ、軌道３のコーナー箇所に達したときに、プーリーユニット２が駆動ホイール２３の前端及び後端において、短手枢着軸２４，２５により接続された補助動力ホイール２６，２７が直接曲がることができる（図６を併せて参照する）。そのため、回転半径が小さいコーナーでも搬送装置はスムーズに通過することができる。
【００１５】
上述の実施形態から分かるように、本考案の患者搬送装置は、従来技術と異なりつぎの長所を有する。
（１）プーリーユニットは、駆動ホイールの前端及び後端が短手枢着軸により補助動力ホイールに接続されているため、コーナーに達したときに短手枢着軸により補助動力ホイールが直接曲がるため、回転半径が小さくてもコーナーを通過することができる。
（２）ベースには、枢着孔及び長穴により、プーリーユニットの第１の連動ロッド及び第２の連動ロッドが枢着され、長穴中で第２の連動ロッドの位置が調整され、枢着軸により第２の連動ロッドに接続された補助動力ホイールが上下に変位可能なため、駆動ホイール及び２つの補助動力ホイールを常に軌道に接触させ、駆動ホイールが空転してベースが移動できなくなることを防ぐことができる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１  ベース
２  プーリーユニット
３  軌道
１１  電源部
１２  吊り帯
１３  巻上機
１４  安全スイッチ
１５  伝動動力源
１６  伝動ギヤセット
１７  枢着孔
１８  長穴
２１  第１の連動ロッド
２２  第２の連動ロッド
２３  駆動ホイール
２４  短手枢着軸
２５  短手枢着軸
２６  補助動力ホイール
２７  補助動力ホイール
２８  充電接続片
２３１  歯部
【図１】
0003166790.tif 000003
【図２】
0003166790.tif 000004
【図３】
0003166790.tif 000005
【図４】
0003166790.tif 000006
【図５】
0003166790.tif 000007
【図６】
0003166790.tif 000008